(57)【特許請求の範囲】
【請求項１】
前輪２ａ及び後輪２ｂを有する走行機体２にエンジン３を搭載し、エンジン３の動力を伝動する走行連結軸７ｂに接続するリヤアクスルケース７内の伝動機構を介して後輪２ｂを駆動すると共に、後部に植付装置４を昇降自在に設け、走行機体２側から植付伝動軸４ａを介して植付装置４を駆動し、植付装置４の植付部の前方に対地作業機６を装着可能に構成した移植機において、前記植付装置４への植付伝動軸４ａとは別に、対地作業機６への動力を分岐するにあたり、走行連結軸７ｂとリヤアクスルケース７とを接続する入力軸８０と、入力軸８０の伝動後流側の軸に設けた対地作業機６の伝動を入り切りするクラッチ機構８７、及び対地作業機６を駆動する対地作業機連結軸８１ａに連結するように後方へ延伸する対地作業軸８１と、を内装する分配ケース８を、リヤアクスルケース７に取り付け可能となるように構成してなる移植機。
【請求項２】
分配ケース８とリヤアクスルケース７との間にアダプタケース９を取り付け可能となるように構成した請求項１の移植機。
【発明の詳細な説明】
【０００１】
【発明の属する技術分野】
本発明は、リヤアクスルケース７に対して分配ケース８を着脱可能に設けた移植機の改良に関する。
【０００２】
【従来の技術】
従来、図１に示す如く前輪と後輪を前後に設けた走行機体２の後部に苗を植付ける植付装置を着脱可能に備えた乗用型の移植機は、エンジンの動力を入力して変換伝動するトランスミッションケース７ａと、後輪２ｂの車軸と植付伝動軸を伝動するリヤアクスルケース７とを走行機体２の前後に離間させた状態で配設し、両者を走行連結軸７ｂによって連結することによりエンジン３から後輪２ｂ及び植付装置を駆動して苗の植付作業を行うように構成している。
【０００３】
また、近年上記のような移植機の植付装置の前方に対地作業機を配設した移植機の一例として、圃場の代掻きと同時に植付作業を行う代掻同時植付型の田植機が知られているが、この装置においては、対地作業機６の変速伝動と作動停止等を行わせる伝動機構をリヤアクスルケース７内に一体的に構成している。
【０００４】
【発明が解決しようとする課題】
しかし、上記従来の装置の伝動機構によれば、「植付専用型」の田植機のリヤアクスルケース７と、「代掻同時植付型」の田植機のリヤアクスルケース７とは兼用されず、別個に製作されている。従って、両者のリヤアクスルケース７を製造しなければならないために製造コストが高くなるとともに、「代掻専用型」の田植機を「代掻同時植付型」の田植機に変更するような構成とするためには、大幅な構造の変更を要する等の問題がある。
【０００５】
【課題を解決するための手段】
本発明に係る移植機は、前記従来の装置の持つ問題点を解決するためになされたものであって、前輪２ａ及び後輪２ｂを有する走行機体２にエンジン３を搭載し、エンジン３の動力を伝動する走行連結軸７ｂに接続するリヤアクスルケース７内の伝動機構を介して後輪２ｂを駆動すると共に、後部に植付装置４を昇降自在に設け、走行機体２側から植付伝動軸４ａを介して植付装置４を駆動し、植付装置４の植付部の前方に対地作業機６を装着可能に構成した移植機において、前記植付装置４への植付伝動軸４ａとは別に、対地作業機６への動力を分岐するにあたり、走行連結軸７ｂとリヤアクスルケース７とを接続する入力軸８０と、入力軸８０の伝動後流側の軸に設けた対地作業機６の伝動を入り切りするクラッチ機構８７、及び対地作業機６を駆動する対地作業機連結軸８１ａに連結するように後方へ延伸する対地作業軸８１と、を内装する分配ケース８を、リヤアクスルケース７に取り付け可能となるように構成した点に特徴がある。また、分配ケース８とリヤアクスルケース７との間にアダプタケース９を取り付け可能となるように構成した点にも特徴がある。
【０００６】
【発明の実施の形態】
以下図面を参照して本発明の移植機の実施の形態につき説明する。
【０００７】
１は本発明の一実施形態に係る移植機であり、前輪２ａ及び後輪２ｂを有する走行機体２の前部にエンジン３をボンネット３ａで覆って搭載しているとともに、後部には通常の構成からなる、苗載台に載置された苗を掻取って圃場に植付ける多条植付型の植付装置４と、後述する対地作業機としての代掻ロータ６とをヒッチ部を兼ねた昇降機構（図示せず）に着脱可能に装着し、機体の走行に伴い代掻と同時に苗の植付けを行うように構成している。
【０００８】
そしてこの移植機１の伝動構造は、エンジン３の動力を入力変換するトランスミッションケース７ａを走行機体２の腹部前方に、後輪２ｂを支持しながら入力駆動させるリヤアクスルケース７を後方にそれぞれ設け、両者を着脱可能に設けた走行連結軸（ＰＴＯ連結軸）７ｂと、後述する分配ケース８で連結して構成している。
【０００９】
この構成により走行連結軸７ｂから入力された動力をリヤアクスルケース７を介して後輪２ｂに伝動して駆動させるとともに、このリヤアクスルケース７から分岐させた植付伝動軸４ａを介して植付装置４を駆動するようにしている。
【００１０】
また、代掻ロータ６は分配ケース８に設けた対地作業軸（アダプタ軸）８１から自在接手を有する対地作業連結軸８１ａを介して駆動させるようにしている。なお、代掻ロータ６は植付装置４の前部で支腕４ｂによって上下調節可能に一体的に支持されている。
【００１１】
次に図２、図３を参照して前記分配ケース８の構成について説明する。
この実施形態において分配ケース８は、リヤアクスルケース７の前面に形成された取付孔７ａに対してアダプタケース９を介して機体の腹部に沿わせて安定よく取付けることができるようにしている。
【００１２】
即ち、図３に示すようにアダプタケース９は、その筒孔内にアダプタ軸（接続軸）９０を前後のベアリング９１，９１ａを介して両持ち状に安定よく軸支し、その前端側をジョイント９２を介して分配ケース８側の入力軸８０に着脱可能に連結し、後端側は軸端に設けたベベルギア９３をリヤアクスルケース７内の車軸７０に設けたベベルギア７１に噛合させて伝動するようにしている。
【００１３】
そしてリヤアクスルケース７の筒孔の前端には分配ケース８の軸筒部８ａの端部を嵌合させるインロウ部９ａを形成し、他端にはリヤアクスルケース７の取付孔９ｃに嵌挿する嵌込部９ｂを形成して、分配ケース８とリヤアクスルケース７とを精度よく位置決めするとともに、両側端に突出成形した取付片９５，９６をそれぞれ分配ケース８とリヤアクスルケース７に取付ネジ９７で締着して確実に固定できるようにしている。
【００１４】
次に、同図において分配ケース８の構成について説明する。
この分配ケース８に突出して設けた軸筒部８ａで入力軸８０を支持し、この分配ケース８と前記軸筒部８ａを配置した取付ブラケット８８によって変速軸８２を支持し、更にシフタ軸８３で変速操作される変速ギヤ群からなる変速ギヤ機構８５と、クラッラッチ杆８６でクラッチ操作されるクラッチ機構８７等を設けて代掻ロータ６の伝動操作を自由に行うことができるように構成している。
【００１５】
そして、この分配ケース８は、前記アダプタケース９に入力軸８０を軸支する軸筒部８ａを位置決め嵌合した状態で、アダプタケース９の取付片９５（フランジ）と接合する取付ブラケット８８を複数個突設している。この軸筒部８ａと取付ブラケット８８の長さ、及びアダプタケース９の長さを任意に設定することによって分配ケース８をリヤアクスルケース７の前側において機体腹部の適所に自由に安定した状態で支持できるように構成している。
【００１６】
また、分配ケース８はトランスミッションケース７ａ（図１）の出力軸７ｅと入力軸８０をジョイント７ｄ，７ｄを介して着脱可能に連結して伝動するようにしている。
【００１７】
このような構成により分配ケース８は、リヤアクスルケース７の前方に形成されている空間部を有効に利用して、下方に大きく突出させて地上高を低くするようなこともなく、走行機体２に沿わせてコンパクトにまとめて設置することができ、入力軸８０からジョイント９２、アダプタ軸９０を介して車軸７１に伝動させるとともに、入力軸８０からクラッチ機構８７、変速ギヤ機構８５を介して対地作業軸８１で代掻ロータ６を伝動することができ、代掻同時植付作業を良好に行うことができるものである。
【００１８】
以上のように構成した移植機１は、（Ａ）対地作業機６としての代掻ロータを備えない場合には、前記分配ケース８を外した状態とし、長い走行軸（図示せず）をリヤアクスルケース７に軸受部を介して直接的に連結して車軸７０に伝動するようにする。
【００１９】
また、（Ｂ）対地作業機６としての代掻ロータを装着した移植機１を構成するときは、前記長い走行軸及び軸受部を取外した状態において、リヤアクスルケース７の取付孔７ａに固定されたアダプタケース９に分配ケース８を取付けたのち、トランスミッションケース７ａと分配ケース８を走行連結軸７ｂを介して連結することにより、植付専用型の移植機１に特別な改造を加えることもなく、走行機体２を兼用しながら対地作業可能な代掻ロータ６を備えた代掻同時植付作業が可能な移植機１を、簡単且つ能率よく構成することができるのである。
【００２０】
そしてこの場合、分配ケース８はアダプタケース９によって精度よく位置決めされながら安定した状態で支持される。また、このアダプタケース９はアダプタ軸９０を両持状に安定した状態で支持し、且つ伝動時にリヤアクスルケース７内で掻回し飛散する潤滑油をオイルシール９８で遮断するので、潤滑油の移動を防止した伝動を良好に行うことができる等の特徴がある。
【００２１】
【発明の効果】
以上の説明から明らかなように本発明による移植機は、前輪２ａ及び後輪２ｂを有する走行機体２にエンジン３を搭載し、エンジン３の動力を伝動する走行連結軸７ｂに接続するリヤアクスルケース７内の伝動機構を介して後輪２ｂを駆動すると共に、後部に植付装置４を昇降自在に設け、走行機体２側から植付伝動軸４ａを介して植付装置４を駆動し、植付装置４の植付部の前方に対地作業機６を装着可能に構成した移植機において、前記植付装置４への植付伝動軸４ａとは別に、対地作業機６への動力を分岐するにあたり、走行連結軸７ｂとリヤアクスルケース７とを接続する入力軸８０と、入力軸８０の伝動後流側の軸に設けた対地作業機６の伝動を入り切りするクラッチ機構８７、及び対地作業機６を駆動する対地作業機連結軸８１ａに連結するように後方へ延伸する対地作業軸８１と、を内装する分配ケース８を、リヤアクスルケース７に取り付け可能となるように構成している。
【００２２】
従って、走行機体２のリアアクスルケース７に分配ケース８を取り付けることによって、簡単な構造で対地作業機６を備えた移植機を構成することができる。また、この際、分配ケース８をアダプタケース９を介して取付けるようにすると、走行機体２の腹部の適所に安定よく取付固定することができる。
【図面の簡単な説明】
【図１】移植機１の要部を示す側面図である。
【図２】分配ケース、アダプタケース、リヤアクスルケースの構成を示す平断面図である。
【図３】アダプタケースの形状を示す斜視図である。
【符号の説明】
１  移植機（田植機）                  ２  走行機体
２ａ  前輪                            ２ｂ  後輪
３  エンジン                          ４  植付装置
６  対地作業機（代掻ロータ）          ７  リヤアクスルケース
７ａ  トランスミッションケース        ７ｂ  走行連結軸
８  分配ケース                        ９  アダプタケース
【図１】
0003891710.tif 000002
【図２】
0003891710.tif 000003
【図３】
0003891710.tif 000004